Podtech/llm-jp-corpus-v4-ja_patent huggingface dataset:
(57)【要約】【課題】監視カメラを利用したシステムはビデオテープに録画する方法が主流であり、ビデオテープの中に映った僅かたった一秒ぐらいの場面を探すのに何時間もかけて確認しなければならない。したがって、もっと利便性を追究しなくてはならない。【解決手段】自宅内及び事務所内に設置された留守番用携帯電話機のセンサーが人影を感知すると、写真及び動画像を自動撮影し自動送信機能によりメールサーバーに写真メール及び動画像メールを送りメールボックスで一時保存する。通知を受けたユーザーは外出用携帯電話機などによりその写真メール及び動画像メールをリクエストし受け取ることで商行為を行うものである。【選択図】  図１
2005143062.tif 000002
【特許請求の範囲】
【請求項１】
自宅内及び事務所内に設置された留守番用携帯電話機を用いてメールサーバーに写真及び動画像を送り、ユーザーは外出用携帯電話機などの手段により写真及び動画像を受け取る商行為を行う方法であり、センサーカメラ付き留守番用携帯電話機または有線センサーカメラ付き留守番用携帯電話機または無線センサーカメラ付き留守番用携帯電話機を自宅内及び事務所内に設置し、赤外線センサーまたはその他のセンサーで人影を感知すると数秒から数分間電源が入りカメラと電話機能が作動し写真を一枚から数枚自動撮影及び動画像を数秒間自動撮影する。留守番用携帯電話機は写真メール及び動画像メールを予め登録された転送先電話番号へ自動送信機能により送信始める。メールサーバーに送られた写真メール及び動画像メールはメールボックスで一時保存し、ユーザーの転送先電話番号であるスーパーメール対応の加入電話機またはパーソナルコンピューターまたは外出用携帯電話機またはその他の転送先へ通知し、ユーザーは写真メール及び動画像メールをリクエストし受け取り保存することにより侵入者を特定することができることを特徴とする留守番用携帯電話機を用いたセキュリティサービス。
【発明の詳細な説明】
【技術分野】
【０００１】  本発明は自宅内及び事務所内に設置された留守番用携帯電話機を用いてメールサーバーに写真及び動画像を送り、ユーザーは外出用携帯電話機などの手段により写真及び動画像を受け取る商行為を行うことができる留守番用携帯電話機を用いたセキュリティサービスに関する。
【背景技術】
【０００２】  従来の技術で、より優れた監視カメラシステムを持つものは幾つか存在している（特許文献１参照）。
【特許文献１】  特開２００１−１６７３６５号公報（図１）
【発明が解決しようとする課題】
【０００３】  しかし、監視カメラシステムはビデオテープに録画する方法が主流であり、ビデオテープの中に映った僅かたった一秒の場面を探すのに何時間もかけて確認する必要があった。したがって、まだ開発の余地があり、さらに利便性を追究し社会に貢献する必要性がある。
【課題を解決するための手段】
【０００４】  上記の目的を達成する為、本発明の留守番用携帯電話機を用いたセキュリティサービスは、自宅内及び事務所内に設置された留守番用携帯電話機を用いてメールサーバーに写真及び動画像を送り、ユーザーは外出用携帯電話機などの手段により写真及び動画像を受け取る商行為を行う方法であり、センサーカメラ付き留守番用携帯電話機または有線センサーカメラ付き留守番用携帯電話機または無線センサーカメラ付き留守番用携帯電話機を自宅内及び事務所内に設置し、赤外線センサーまたはその他のセンサーで人影を感知すると数秒から数分間電源が入りカメラと電話機能が作動し写真を一枚から数枚自動撮影及び動画像を数秒間自動撮影する。留守番用携帯電話機は写真メール及び動画像メールを予め登録された転送先電話番号へ自動送信機能により送信始める。メールサーバーに送られた写真メール及び動画像メールはメールボックスで一時保存し、ユーザーの転送先電話番号であるスーパーメール対応の加入電話機またはパーソナルコンピューターまたは外出用携帯電話機またはその他の転送先へ通知し、ユーザーは写真メール及び動画像メールをリクエストし受け取り保存することにより侵入者を特定することができる。
【０００５】  本発明である留守番用携帯電話機を用いたセキュリティサービスは、日常において毎日使用されている携帯電話機に搭載することで簡単な装置で済み、どの住宅及び就業後の事務所にも備えることができ侵入を止まらせ事件を未然に防ぐ抑止力効果をもっている。
【０００６】  また本発明の、留守番用携帯電話機を用いたセキュリティサービスでは、より多くの契約が見込まれ、セキュリティの対価をより安価に押さえることができ、利用者の負担を軽減することができる。
【０００７】  また本発明の、留守番用携帯電話機を用いたセキュリティサービスでは、センサーカメラを出入口付近に設置及びドアの覗きレンズなどに取り付け接続することで、より防犯態勢が整えられ防犯効果が高くなる。
【０００８】  本発明の留守番用携帯電話機を用いたセキュリティサービスによると、留守番用携帯電話機の需要が見込まれ、人体熱、動物熱、火災熱を見分けるサーモセンサーなど新しい技術を用いてもよく、広く普及する可能性がある。
【発明を実施するための最良の形態】
【０００９】  図１は本発明の、留守番用携帯電話機を用いたセキュリティサービスの好適な実施の形態を示したものである。以下にこの留守番用携帯電話機を介したセキュリティサービスを簡素に説明する。【００１０】  自宅内及び事務所内にセンサーカメラ付き留守番用携帯電話機１を設置または有線センサーカメラ付き留守番用携帯電話機２を設置または無線センサーカメラ付き留守番用携帯電話機３を設置する。センサーが人影を感知するとカメラと電話機能が作動し、自動送信機能によりメールサーバー４に接続され一時保存される。そこから利用者の指定された転送先であるスーパーメール対応加入電話機５またはパーソナルコンピューター６または外出用携帯電話機７に通知され、利用者はリクエストによる写真メール及び動画像メールを受け取り商行為を行う。
【発明の効果】
【００１１】  以上説明したように、留守番用携帯電話機を用いたセキュリティサービスによると、犯罪を未然に防ぐ抑止力があり、セキュリティサービスの契約が見込まれることによる利用者の負担軽減を誘い、留守番用携帯電話機の需要が見込まれ幅広く産業界に貢献し、社会全体に好影響を及ぼすことが期待でき、備えあれば憂いなしのセキュリティサービスを提供することができる。
【図面の簡単な説明】
【図１】本発明の留守番用携帯電話機を用いたセキュリティサービスのシステム。
【符号の説明】
１  センサーカメラ付き留守番用携帯電話機
２  有線センサーカメラ付き留守番用携帯電話機
３  無線センサーカメラ付き留守番用携帯電話機
４  メールサーバー
５  転送先のスーパーメール対応加入電話機
６  転送先のパーソナルコンピューター
７  転送先の外出用携帯電話機
【図１】
2005143062.tif 000003
(57)【要約】【課題】  電子式録音機能を内蔵することによって、任意の発声内容を大音量で自由に反復、再生することができる電子式拡声器の提供。【解決手段】  通常マイク（２）より入力された音声は内部の増幅器によって音量が増幅されてスピーカー部（１）により出力されるが、録音操作スイッチ（５）を操作することによりマイク（２）に入力された音声は、内蔵された電子式メモリーに録音され再生操作スイッチ（４）で再生操作することにより、録音した内容を増幅器を通してスピーカー（１）により大きな音で何度でも再生することが出来る。また電子式メモリー記録位置切り替えスイッチ（６）を操作することにより、複数の録音内容を同時に保持し、それらを適宜選択し再生することができる。【選択図】  図１
2005143067.tif 000002
【特許請求の範囲】
【請求項１】
可搬型電子拡声器に半導体式の録音機能を付加し、ワンタッチで録音、及び再生をコントロール出来るようにした電子式録音再生機能付き可搬型電子拡声器。
【請求項２】
録音時に拡声器側の出力を切る事ができる請求項１の電子式録音再生機能付き可搬型電子拡声器。
【請求項３】
複数の録音、再生コントロールスイッチを設け、複数の録音内容を保存し、またそれらを個別に呼び出し再生することが出来る請求項２の電子式録音再生機能付き可搬型電子拡声器。
【請求項４】
録音内容を、挿抜可能なカートリッジ式メモリー等に記録し、その録音内容をパソコン等他の機器で録音、再生、編集の他、別の装置に取り付ける事によって録音内容の交換、コピー等が出来る請求工３の電子式録音再生機能付き可搬型電子拡声器。
【発明の詳細な説明】
【技術分野】
【０００１】  本発明は一般の電子式拡声器に関するものである。
【背景技術】
【０００２】  従来、音量を増幅するだけの拡声器はあった。
【発明の開示】
【発明が解決しようとする課題】
【０００３】  電子式録音機能を内蔵することによって、任意の発声内容を自由に反復、再生することができる電子式拡声器の提供。
【課題を解決するための手段】
【０００４】  通常マイクより入力された音声は内部の増幅器によって音量が増幅されてスピーカーにより出力されるが、録音操作スイッチを操作することによりマイクに入力された音声は、内蔵された電子式メモリーに録音され、再生操作スイッチで再生操作することにより、録音した内容を増幅器を通してスピーカーにより大きな音で何度でも再生することが出来る。また電子式メモリー記録位置切り替えスイッチを操作することにより、電子式メモリーの記録位置を可変し複数の録音内容を同時に保持することで、それらを適宜選択し再生することができる。また電子式メモリーをカートリッジ式とすることにより、他の機器でも記録内容の取り扱いが出来る。
【発明の効果】
【０００５】  従来、音量を増幅するだけの拡声器はあったが、集客用途などでは長時間に渡って何度も同じ事を繰り返し言う必要があった。本発明は拡声器に電子式の録音機能を設けることで、繰り返したい再生内容を適宜録音、再生する事が可能となった。
【発明を実施するための最良の形態】
【０００６】  本発明は多数の人員を相手に宣伝集客や街宣等を行う場合の拡声器の使用形態に最適と考えられる。
【産業上の利用可能性】
【図面の簡単な説明】
【０００７】
【図１】    電子式録音再生機能付き可搬型電子拡声器の概要図である。
【図２】    録音再生機能の概略アルゴリズムである。
【符号の説明】
【０００８】      １  スピーカー部
２  マイク
３  拡声器スイッチ
４  再生操作スイッチ
５  録音操作スイッチ
６  電子式メモリー記録位置切り替えスイッチ
【図１】
2005143067.tif 000003
【図２】
2005143067.tif 000004
(57)【要約】【課題】  カラスは特に学習能力が高いため、単純に視覚や聴覚を刺激する従来のカラス避けグッズは、カラスがその警戒性の有無を数日で察知し、危険がないと認識すればすぐ慣れてしまうためカラスの飛来防止効果が低かった。【解決手段】  下地黒と赤枠のフイルムをアクリルミラー片面に貼り付け、アクリルミラー２枚に季節調整角度を設け、自然風による接触音と太陽光の複雑な動揺と相互回転反射に、さらに相乗効果とアクリルミラーの死角を補う特殊液によって、警戒心の強いカラスの視覚や聴覚、味覚を刺激し、カラスの飛来と生ゴミの採餌散乱を防止するものである。【選択図】    図１
2005143473.tif 000002
【特許請求の範囲】
【請求項１】
アクリルミラー（１）片面に２個のミラー部分を切抜いた赤枠（２）と下地黒（３）のフイルムを貼り付け、中央上部に回転リング（４）の吊下げ穴（５）と下部に被膜ワイヤー（６）による角度調整穴（７）を設け、アクリルミラー（１）２枚を季節角度（８）に調整し、大中小の３種類を設け、大中または中小を左右均等に吊るす被膜ワイヤー（６）と回転リング（４）、金属板（９）を設ける。
【請求項２】
木酢液原液（１０）と、カラスが嫌いな成分を含む特殊植物（１１）を粉砕撹拌した濾過液に植物油（１２）を混合し、噴霧器（１３）を設ける。
【発明の詳細な説明】
【発明の詳細な説明】
【技術分野】
【０００１】  本発明の鳥害防止用具は、警戒心の強いカラスの視覚や聴覚、味覚を刺激するもので、アクリルミラー（１）片面に２個のミラー部分を切抜いた赤枠（２）と下地黒（３）のフイルムを貼り付け、中央上部に回転リング（４）の吊下げ穴（５）と下部に被膜ワイヤー（６）による角度調整穴（７）を設け、アクリルミラー（１）２枚を季節角度（８）に調整し、大中小の３種類を設け、大中または中小を左右均等に吊るす被膜ワイヤー（６）と回転リング（４）、金属板（９）を設ける。さらにその相乗効果とミラーの死角を補うためカラスが嫌いな成分を含む木酢液原液（１０）と同じくカラスが嫌いな成分を含む特殊植物（１１）を粉砕撹拌した濾過液に植物油（１２）を混合し、特殊液を入れる噴霧容器（１３）を設ける。
【背景技術】
【０００２】  従来の市販カラス避けグッズは、カラス飛来の防御や生ゴミの採餌散乱防止を目的としているが、カラスの警戒心を単純に聴覚や視覚を刺激するため、数日で慣れ、鳥害防止効果が見られない。
【発明が解決しようとする課題】
【０００３】  カラスは特に学習能力が高いため、単純に視覚や聴覚を刺激するカラス避けグッズは、カラスがその警戒性の有無を数日で察知し、危険がないと認識すればすぐ慣れてしまうことが課題であった。
【課題を解決するための手段】
【０００４】  上記の問題点を解決するため、本発明の鳥害防止用具は、自然風による左右均等につるしたミラーの接触音や複雑な動揺と双方の回転反射によって、カラスの警戒心を聴覚や視覚に刺激し、さらにその相乗効果をはかるためカラスの嫌いな成分を含む特殊液の噴霧よってカラスの味覚を強力に刺激しカラスの飛来防御と生ゴミの採餌散乱を防止するものである。
【発明を実施するための最良の形態】
【０００５】  本発明の鳥害防止用具は、自然風による左右均等に吊るしたミラーの接触音や複雑な動揺と双方の回転反射によって、警戒心の強いカラスの聴覚や視覚に刺激し、さらにその相乗効果とアクリルミラーの死角を補うため、カラスの嫌いな成分を含む特殊液の噴霧よってカラスの味覚を強力に刺激し、カラスの飛来防御と生ゴミの採餌散乱を防止するものである。
【実施例】
【０００６】    実施例について図表を参照して説明すると、本発明の鳥害防止用具は、アクリルミラー（１）片面に２個のミラー部分を切抜いた赤枠（２）と下地黒（３）のフイルムを貼り付け、中央上部に回転リング（４）の吊下げ穴（５）と下部に被膜ワイヤー（６）による角度調整穴（７）を設け、アクリルミラー（１）２枚を季節角度（８）を調整し、大中小の３種類を設け、大中または中小を左右均等に吊るす被膜ワイヤー（６）と回転リング（４）、金属板（９）を設け、警戒心の強いカラスの聴覚と視覚刺激し、カラスの飛来を防御。
さらにその相乗効果とミラーの死角を補うため、カラスが嫌いな成分を含む木酢液原液（１０）と同じくカラスが嫌いな成分を含む特殊植物（１１）を粉砕撹拌した濾過液に植物油（１２）を混合し、特殊液を入れる噴霧容器（１３）を設け、特殊液によってカラスの味覚を刺激し、生ゴミの採餌散乱を防止するものである。
【発明の効果】
【０００７】  本発明は、以上のような形態で、平成１４年度は、渋谷区上原と世田谷区北沢の特定一部住宅地域、及び平成１５度から世田谷区下北沢南口商店街および渋谷区渋谷中央街、世田谷区内の一般住宅、マンションにおいてカラス対策のテストを実施。以下に記載されるような効果を奏した。
【０００８】  平成１４年４月、渋谷区上原と世田谷区北沢の特定一部住宅地域をテスト地域に特定し、３校舎と７マンションの屋上１０ヵ所にアクリルミラーを設置。以後、カラスの飛来が激減し、現在も減少状態が続いている。
平成１５年２月、世田谷区下北沢南口商店街をテスト地域として、ビル屋上７ヵ所と街路灯９本にアクリルミラーを設置し、特殊液を排出した生ゴミ入りビニール袋に噴霧。カラスの飛来が激減し、生ゴミの採餌散乱は全くなくなり、同時にハトの飛来もなくなった。現在もカラスの飛来が全くない状態が続いている。
平成１５年７月、渋谷区渋谷中央街テスト地域として、街路灯１０本にアクリルミラーを設置し、排出した生ゴミ入りビニール袋に特殊液を噴霧。カラスの飛来が激減し生ゴミの採餌散乱は全くなった。現在もカラスの飛来と生ゴミの採餌散乱は全くない状態が続いている。また、同時にハトの飛来もなくなった。
平成１５年８月、一般家屋とマンションをテスト地域として、住宅の軒下や庭とマンションベランダにアクリルミラーを設置。生ゴミには特殊液を噴霧。以後、現在もカラスやハトの飛来や生ゴミの採餌散乱が全くなくなり、期待以上の成果が得られた。
平成１５年９月１９日、宇都宮大学農学部杉田昭栄教授のカラス対策に対する当該鳥害防止用具の有効性が認められ、その検証結果（フジＴＶが検証依頼）が放映された。
【図面の簡単な説明】
【図１】下地黒赤枠の角度を設けたアクリルミラーである
【図２】特殊液の噴霧容器の断面図である
【符号の説明】
（１）アクリルミラー
（２）赤フイルム枠
（３）下地黒フイルム
（４）回転リング
（５）吊下げ穴
（６）被膜ワイヤー
（７）角度調整穴
（８）季節調整角度
（９）金属板
（１０）木酢原液
（１１）特殊植物液
（１２）植物油
（１３）噴霧容器
【図１】
2005143473.tif 000003
【図２】
2005143473.tif 000004
(57)【要約】      （修正有）【課題】遠近に関係なく排水口より均等に排水でき、水量コントロール、空中噴霧、ピンポイント水やりができ、屋上緑化、乾燥地域の植林、その他植物の栽培等に役立ち、節水や人件費の削減効果ある管を提供する。【解決手段】正流管１の先端にＵターン管３を設け、それに逆流管２を接続し、その二本の管の間にバイパス４を設け、そこに水量調整ネジ８を取り付け逆流管２に排水口５をあける。【選択図】図１
2005143478.tif 000002
【特許請求の範囲】
【請求項１】
正流管（１）の先端にＵターン管（３）を設け、それに排水口（５）をあけた逆流管（２）を接続し、その正逆二本の管にバイパス（４）を設けた水圧が一定になる正逆管。
【発明の詳細な説明】
【技術分野】
【０００１】  本発明は、Ｕターン管で正逆二本の流れを造り、それにバイパスを設けて水圧が一定で平均して排水でき、屋上緑化、乾燥地域の植林、その他植物栽培等に利用でき、節水や人件費の削減効果のある管を提供する。
【背景技術】
【０００２】  従来は、管に排水口あけたもので、平均して排水することはできなかった。
【発明の開示】
【発明が解決しようとする課題】
【０００３】  従来の管は、最初、排水口からは十分噴出するが、遠くなるにしたがい段々出る量が少なくなる。そこで管の距離に関係なく、又水量をしぼっても排水口から平均して排水できる管を提供することを目的とする。
【課題を解決するための手段】
【０００４】  正流管（１）に入った水は、接続管（６）で長く延ばされた管の中を通り、先端のＵタ〜ン管（３）で流れが逆になり逆流管（２）に流れエンドキャプ（７）で止まる。
そして接続管（６）の所で、正流管（１）と逆流管（２）の間にバイパス（４）を設けて逆流管（２）に流れるようにすると、逆流管（２）内の水圧を一定にすることができる。
その逆流管（２）に排水口（５）をあければ、どの排水口（５）からも同量の水を排水することが可能である。
【発明の効果】
【０００５】  本発明は、次のような効果がある。
この正逆管は、遠近関係なく均等に排水でき、水量コントロ〜ルや空中噴霧、ピンポイントで水やりができ、屋上緑化、乾燥地域の植林、その他植物の栽培等に効果的に利用でき、節水や人件費の削減にも効果的である。
【発明を実施するための最良の形態】
【０００６】  発明の実施形態について説明する。
一本の管に、順次排水口を造ると正確ではないが、最初１０噴出したものが噴出した分次の排水量は９に、次は８にと次々に水量が落ち、最後は噴出しなくなる。
そこで例えば、１０、９、８、７、６、５、４、３、２、１、を半分の所から折り返し、上下を加えると１０＋１、９＋２、８＋３、７＋４、６＋５、となり平均化できる。
その原理を利用し、一本の管を二つに折り曲げ二本にし、その二本の管の間にバイパス（４）を設けて、水圧を一定にしたのが、この正逆管である。
【実施例１】
【０００７】  図１で示さされる実施例では、正流管（１）の水の流れ（９）は、先端のＵタ〜ン管（３）の所で逆流管（２）への水の流れ（９）と、正流管（１）と逆流管（２）との間のバイパス（４）からの水の流れ（９）の二つの流れで成り立っている。
そして、逆流管（２）の先端は、エンドキャプ（７）で止められ、水圧が一定なった逆流管（２）に排水口（５）をあけると、遠近に関係なく、どの排水口（５）からも平均して一定の水量が排水する
【実施例２】
【０００８】  図２で示される実施例では、上記のように水圧をほぼ一定にできる。
しかし、多少の微調整を必要とするため、バイパス（４）から流れる水量を調整できるよう水量調整ネジ（８）を設ける。
又、排水口（５）の所には、色々な種類の部品を取り付けることにより、色々な用途に対応できる。例えば、地上、空中での利用するときは噴霧タイプ、地上、地中では、木の根元にピンポイントの水やりをすることができる。
【図面の簡単な説明】
【０００９】
【図１】    水の流れを示す正逆管の断面図
【図２】    正逆管の正面図
【符号の説明】
【００１０】    １、正流管
２、逆流管
３、Ｕターン管
４、バイパス
５、排水口
６、接続管
７、エンドキャプ
８、水量調節ネジ
９、水の流れ
【図１】
2005143478.tif 000003
【図２】
2005143478.tif 000004
(57)【要約】      （修正有）【課題】水力発電により灌漑用水からエネルギーを得て、ゲートの操作電力をまかなうのみならず、配水ゲート装置費用をも削減して、より経済的なシステムを提供する。【解決手段】灌漑の貴重な水を、末端の要求に従って確実に分配するシステムを構築する基本技術の一つとなるものである。各々の分岐路の下流に垂直翼水車発電機を設置し、その浸漬深さを制御することにより、上流の分岐位置の水位を変化させる。発電電力を水位、流量観測にも用いることによって、データを無線通信を介してセンタに集約し、総括的に判断することを可能とする。これらによって灌漑の綜合的状況、末端それぞれの要求に対応して常時掌握管理した上で、個々の分岐路を制御する経済的なシステムの構築を可能とする。【選択図】図−１
2005143475.tif 000002
【特許請求の範囲】
【請求項１】
灌漑用水路の分岐位置より下流に水力発電機を設置し、該発電機の設置水深を制御することによって上流の水位を制御する配水制御法
【発明の詳細な説明】
【技術分野】
【０００１】    灌漑の配水制御法に関わる。
【背景】
【０００２】    灌漑は万遍なく配水するのみならず、所定箇所に所定期間優先配水するなど要求条件の変化に応じた配水が望まれる。灌漑は広域にわたる巨大なシステムであり、降雨や蒸散による影響も大きい。こうした複雑な条件の中でも貴重な水を適切に配分することが望まれる。
【背景技術】
【０００３】
【０００４】
【特許文献１】米特許４，８３８，３１０  Ｈｙｄｒｏｅｌｅｃｔｒｉｃａｌｌｙ  Ｐｏｗｅｒｅｄ  Ｒｅｍｏｔｅｌｙ  Ｃｏｎｔｒｏｌｌｅｄ  Ｉｒｒｉｇａｔｉｏｎ  Ｓｙｓｔｅｍ  Ｊｕｎ．１３，１９９９では配水管中に軸流発電機をもうけ、その電気出力を一旦蓄積する電源装置の電力を用いてバルブを制御し、その制御信号は無線交信によってセンターから指示されるシステムを提案している。
【０００５】
【特許文献２】特開平０８−１０５０３４水位調整ゲートでは手動で開度を調整している。
【０００６】
【特許文献３】特開２０００−１１１５２６田圃での水位調節装置は地下に埋設する水位調整装置を提案しており空気圧で制御している。
【０００７】
【特許文献４】米特許４，３６８，３９２  Ｗａｔｅｒ  Ｔｕｒｂｉｎｅ  Ｊａｎ．１１，１９８３では垂直軸水車発電機の翼姿勢制御などを提案している。その参照特許にいくつかの垂直軸水車の発明が挙げられている。
【発明が解決しようとする課題】
【０００８】      本考案は水力発電により灌漑用水からエネルギを得て、ゲートの操作電力をまかなうのみならず、配水ゲート装置費用をも削減して、より経済的なシステムとすることにある。ゲートの調整の多くは人手によっており、その自動化には複雑な機構を必要とし、相当な費用を要する。ゲートの調整は他の流路特に下流に影響するが、それを当該位置で把握することは困難であり、その後に降雨が予想されるときなどに適切なゲート開度を設定することはさらに困難となる。
【０００９】    灌漑は広範囲にわたる水流のネットワークであり、本流から末端の支流の流れに到るまで情報を集め、灌漑系全体の流れを所定の流量に近づけることである。そうした情報観測と制御に必要な電力量はさして大きくないが、電力配電設備を規格を満たしながら設置する費用はシステム構築の隘路となっている。
【００１０】    ゲートは完全な開放あるいは閉塞時は別として、水量をアナログ制御する中間位置にあるとき、狭隘な流路を通過する水流はときに流体励起振動を起こすこともあり、ゴミを挟みこむなど損傷を惹き起こすこともある。
【本発明が活用する現象】
【００１１】    垂直軸水車発電機のトルクは水流速度と水車の浸漬深さによって変化する。水流は水車の抵抗を受けて変化し、上流の水位は上下する。直線翼では抵抗力は羽根の浸漬深さにほぼ比例し、線形関係となる。これに対応する水流の変化との関係は比例からは外れても多項式で近似可能であり、制御系の設計に便利である。
【００１２】    水車の抵抗による上流の水位の上昇は、上流の分岐点において側路への流量を増す効果がある。翼の浸漬深さを変化させることにより側路流量のアナログ制御が可能となる。
【００１３】    水車は一種の流量計でもあり、回転数と発電機反力それに浸漬深さや流路の巾など、要因は単純ではないが、それらの関係を予め観測しておけば主流路の流量を推定できる。さらに上流の分岐流量も推定可能となる。
【００１４】    灌漑用では発電によりエネルギを取り込み過ぎると、下流への流れを過度に妨げることになるので、むしろ配水を旨としたシステム設計が求められる。
【発明の概要】
【本発明を実施する形態】
【００１５】    代表図の図−１において発電機４は主流路に設置される水車５のトルクを受けて発電する。この形態は特許文献４とほぼ同一であるが、本発明においては、ねじ８と上下モータ７によって水車の浸漬深さを変えることができる。浸漬深さを変えることによって上流の水位は上下し、上流にもうけられた分岐点の側路３への流量をこれによって制御することができる。このようにして操作ゲートは省略され、その装置、工事の費用が削減される。
【００１６】    発電された電力は農作業用の動力として用いられる他に、無線装置に電力を供給し、水車の回転速度等の計測データをセンター装置に送ることにも用いられる。
【００１７】    ゲートを電気操作型としたものに電力供給することも可能である。
【００１８】    センター装置は他の流路情報や天候情報などを勘案して、水車の浸漬深さや発電機の電気負荷を指示する。
【００１９】    水路の水深や映像等も無線装置を介して送ることも可能となる。
【図面の簡単な説明】
【００２０】
【００２１】
【図−１】本発明の実施例であって直線翼垂直軸水車を主流路に設置した場合である。１は水源側の流入路であり、下流の２へ流れる。途中に分岐３があり、分岐位置より下流に水力発電機を設置している。水車はこの図では５−１，２，３の３枚であるが、枚数や翼形を変えると水流に対する特性は変わる。これらは流路の状態などに応じ、適合した設計とする。発電機は支持棒１０が門構え６の案内溝９によって支えられ水車のトルクに拮抗する。発電機と水車はねじ上下機構７によって、水車翼の浸漬深さを変えることができる。浸漬深さを深くすれば抵抗が増して、水位は定常水位１３から１４のように上昇し、水位変化１５によって分岐路からの流量は増す。
【００２２】
【図−２】特許文献１米特許４，８３８，３１０の構成図であって軸流水車発電機１４の電力を用いてバルブ２８を開閉している。
【００２３】
【図−３】特開平０８−１０５０３４水位調整ゲートの図
【００２４】
【図−４】特開２０００−１１１５２６棚田の水位調節装置であって、地下に埋設する空気圧による水位調整装置の図である。
【００３１】
【図−５】米特許４，３６８，３９２  Ｗａｔｅｒ  Ｔｕｒｂｉｎｅの垂直軸水車発電機の図である。
【図−１】
2005143475.tif 000003
【図−２】
2005143475.tif 000004
【図−３】
2005143475.tif 000005
【図−４】
2005143475.tif 000006
【図−５】
2005143475.tif 000007
(57)【要約】【課題】  植物栽培具の水の流出を防ぎ、移動もスムーズに出来る植物栽培具を提供する。【解決手段】  側部材と側部材中間部に設けられた中間底と中間底に設けられた開口部を密閉可能に着脱出来る密閉部材と側部材下に配置されている受け皿を設けたことを特徴とする植物栽培具。【選択図】図１
2005143477.tif 000002
【特許請求の範囲】
【請求項１】
周壁を構成する側部材と、側部材中間部に設けられた中間底と、中央付近に設けられた空気や水を通す開口部と前記中間底上部に設けられた細かな網状の土受け部材と、土受け部材の前記開口部上に位置する落下防止部材と、側部材下開口部より小さな形状で側部材下に配置される受け皿とよりなる植物栽培具。
【請求項２】
中間底の開口部を密閉可能に着脱できる密閉部材を設けたことを特徴とする請求項１記載の植物栽培具。
【発明の詳細な説明】
【技術分野】
【０００１】  本発明は、植物栽培具の水の流出を防ぎ、移動もスムーズに出来る植物栽培具に関するものである。
【背景技術】
【０００２】  従来、植物栽培具として鉢があり、鉢底全体がのる外受け皿との組み合わせになっていた。
【発明の開示】
【発明が解決しようとする課題】
【０００３】  そのために、次のような問題点があった。
鉢単体の場合は、水をまくとすぐに流れて下が汚れる為、外受け皿が必要であった。外受け皿を利用した場合は、鉢内の水がこぼれない様に移動する時受け皿ごと運ぶ必要があった。また鑑賞に当たり見栄えが悪かった。
本発明は、以上の問題点を解決しようとするものである。
【課題を解決するための手段】
【０００４】  周壁部を構成する側部材（２）と側部材中間部に設けられた中間底（３）と中間底（３）に設けられた空気や水を通す開口部（４）とこの開口部（４）に着脱できる密閉材（５）を設け、中間底上部に細かな網状（９）の土受け部材（８）を設ける。側部材下に配置される受け皿（１７）を具備する植物栽培具である。
【発明の効果】
【０００５】  本発明は、受け皿が側部材内部に設置されているので美観的である。
また、密閉部材を利用することにより、移動時の鉢内の水や細かな土がこぼれるのを防止することが可能となった。
【発明を実施するための最良の形態】
【０００６】  以下、本発明の第１実施例の形態を図１から図３を利用して説明する。
鉢本体（１）は上下が開口した円筒状の側部材（２）の下より中間部に中間底（３）が設けられている。中間底（３）は中心に向かうにつれて高くなる様に傾斜しており、中央部に開口部（４）が構成されている。中間底開口部（４）を密封可能に着脱できるキャップ（５）を具備する。中間底（３）の上位置の側部材内面に内側方向へ突出したリング状のストッパー（７）が設けられている。
土受け部材（８）は側部材内形状にあわせた外形の枠に細かな網（９）が張られたものである。これを上から落とし込むことでストッパー（７）により固定される。細かな網（９）の土受け部材（８）の裏に開口部（４）より大きな円形状足付ストッパー（１０）を設ける。この円形状足付ストッパーは、中間底開口部の周りに設けられた突起状の位置固定ストッパー（１２）により固定される。
落下防止部材（１１）は前記中間底（３）の開口部（４）を覆うことができる円盤状となっており、下面に前記土受け部材（８）の細かな網目に入り込む複数の突起部材（１３）が設けられたものである。この落下防止部材（１１）は土受け部材（８）の中央に突起部材（１３）により取り付けられる。
中間部材中間底（３）より下に小さな空気穴（１４）を側部材に設ける。また、側部材下にも空気穴（１６）を設ける。中間底下面には、円筒形状の水はね防止（１５）が下げる状態で設けられている。
キャップはある程度の伸縮を行うゴムやコルクなどにより、中間底開口部に下方から着脱できるように設けられている。
鉢本体（１）の下に配される受け皿（１７）を具備する。この受け皿（１７）は鉢本体（１）の底壁開口部（４）より小さなもので、この上に中間底の開口部（４）が位置するように鉢本体（１）で覆われるものである。
本発明は、以上の構成よりなっている。
本発明を使用する時、植物栽培具（１）に水をまくと土に水がしみ落ちた水は中間底により周辺方向に溜まる。これから溢れる位に溜まった余分な水は開口部（４）から受け皿（１７）に拾われる。土は押さえられ水のみ下に落ちる様になっている。この際、水はね防止により中間底にそって水が伝わり、側部材内壁下に落ちない様になっている。移動する時は傾いてもキャップ（５）をすることで開口部（４）で密封するので下が汚れない。植物栽培具に色、模様、形も野菜、果物、動物など、素材は透明材かガラス材など色々な素材でバリエーションを持たせキャップ（５）が設けてあるので花瓶として応用できる。
以下、本発明の第２実施の形態図４を利用して説明する。開口部の形状を変え、同時にはね防止の役目を果たす様にしたものである。前記実施形態で違う形状部分を説明する。
中間底（３）の開口部の内径に合わせた筒状のはね防止が設けられており、その外周はネジ山（６）が設けられている。これにネジで着脱できる密閉材（５）となっている。
【図面の簡単な説明】
【０００７】
【図１】  本発明の断面図
【図２】  本発明の分解斜視図
【図３】  本発明の分解斜視図
【図４】  本発明の第２実施形態の断面図
【符号の説明】
【０００８】    １  鉢本体
２  側部材
３  中間底
４  開口部
５  キャップ
６  ネジ山
７  ストッパー
８  土受け部材
９  細かな網
１０  円形状足付ストッパー
１１  落下防止部材
１２  固定ストッパー
１３  突起部材
１４  空気穴
１５  水はね防止
１６  空気穴
１７  受け皿
【図１】
2005143477.tif 000003
【図２】
2005143477.tif 000004
【図３】
2005143477.tif 000005
【図４】
2005143477.tif 000006
(57)【要約】【課題】  酸素の水中溶解率を高め、気泡を小さな粒子とし、好気性バクテリアの付着と繁殖の増大、又水の劣化を防ぎ生物の生長と健康、植物の生長を促進する観賞用水槽循環濾過装置。【解決手段】    酸素の溶解率を高めるため、本発明のシステムでは空気の水中吸引に、流水の流速差による圧力変動を利用している。空気排出口前面に負圧圧力を形成させ空気の取り込みを可能にした。この方式により従来の圧力方式より酸素溶解率を高上させ、又空気量の多い水流をポンプの回転ギヤに拠り攪拌し其の後圧力に拠って押し出す事で、気泡粒子の極小と、揺るやかな水流による好気性バクテリアの付着育成と繁殖の増大を促進している、水中の酸素量が多いことに拠って好気性バクテリアの繁殖が促がされ水の劣化を防ぎ雑菌等の繁殖も防ぐ事が出来る。是により生物及び植物の健康、又生長の促進を図る事ができる。【選択図】  図１
2005143483.tif 000002
【特許請求の範囲】
【請求項１】
観賞用水槽において水質の保全と酸素溶解率を高上させ魚の生長促進と水槽内の汚れを取り除き又水中植物の育成に適した水を精製する観賞用水槽循環濾過装置。
【請求項２】
水流による負圧を原理とした空気取り入れ口と、乱水流により酸素溶解を容易にする、空気吸引排出装置。
【請求項３】
水中における気泡排出を均等拡散させる気泡拡散排出ノズル。
【発明の詳細な説明】
【産業上の利用分野】
【０００１】本発明は観賞用水槽の水質の悪化を防ぎ、酸素溶解率を高め、好気性バクテリアの繁殖を増進させ、魚の排泄物に含まれる炭水化物やタンパク質を分解無害化し、水質の高上と魚の繁殖及び成長に適した環境と水を精製する循環濾過装置。
【背景技術】
【０００２】観賞用水槽の濾過装置は数多く有りますが、どの濾過装置も強制的にエアーレーションをしており酸素溶解率の向上を臨めませんでした、又エアーレーションが水の流速を強め過ぎ水槽の好気性バクテリアの繁殖も促進出来無い。
【発明が解決しようとする課題】
【０００３】従来の観賞用水槽の濾過装置では、外気の空気をエアーレーションしているが強制的にポンプで送る事により水中の空気の気泡が大きく、水に溶ける酸素量が少ない又水槽内の水の流速が速すぎるため好気性バクテリアの付着繁殖の促進が出来ない。
【０００４】そこで本発明の目的は観賞用濾過装置の外気の強制エアーレーションを、水流により強制負圧を作り出し酸素溶解量を増大させます。又水中に放出される気泡粒子が小さく、魚及び水草も酸素を十分に取り込む事により生物の生長が促進される。その他水槽内の水流を穏やかにする事により付着好気性バクテリアの繁殖も促進される。
【課題を解決するための手段】
【０００５】前記目的を達成して課題を達成するため本発明に係る観賞用水槽循環濾過装置は、水槽底部に設置されている給水口により水槽内の水を吸引します。給水口の前面に濾過フイルターと砂が敷き詰められており、この砂とフイルターにより濾過される。
【０００６】濾過され給水口に吸引された水は空気取り込み口から空気を吸いポンプに吸引される。ギヤポンプにより空気が混入された水は攪拌され酸素を拠り溶解する。
【０００７】空気取り込みシステムは水流が障害物に当たり障害物の周りを迂回する事により障害物の外周の流速と障害物の中心の流速の違いにより障害物の中心が負圧になる事に拠り空気を吸い込み、中心流水に酸素を溶解する。
【０００８】水中ポンプを通過した空気溶解水流は半球面体の排出口から水槽内部に酸素を供給する。
【実施例】
【０００９】以下添付図面に基づいて本発明の実施例を説明する。
図１は本発明に拠る観賞用水槽循環濾過装置の一例を示す物である。観賞用水槽循環濾過装置はガラス又は樹脂等で形成し１０の水槽に入っている水１８を４０の穴明きパイプより５０のポンプを稼動させ４３から排出する。【００１０】４０に吸引される水１８は穴明き濾過材ケース３０と蓋３１の中に在る濾過材３５と３７の中心に在る４０に２０の空気フイルターで濾過された空気が２５を通過し２８の空気攪拌パイプにより６３の空気排出口から１８の水に混入される。【００１１】６３の空気排出口は１８の水流の流れ方向の正反対に位置し１８の水が流れる水流の障害となる、２８が水流の障害となる事により２８の側面の流水と６３の空気排出口の流水との流れの差に拠って６３の排出口の前面が負圧になる。【００１２】６３の排出口は１８の流水の負圧差により、２０と２５の空気を吸引する。６３の空気排出口の空気は負圧差に拠って絶えず４０の中を流れる１８の流水に空気が取り込まれる。従って６３の空気排出口の空気には押し出し圧力が加わらず流水の中に空気と水のさざなみが発生し酸素を１８取り込む事が出来る。【００１３】空気を取り込んだ１８は５０のポンプの回転ギヤにより攪拌される。１８はポンプ内に置いて攪拌押しだの圧力が加わり、より粒子の小さな酸素溶解水に生成される。【００１４】酸素溶解水１８は４０，４３の放出パイプを通り４８の酸素放出口から放出される、又４８の半円形の酸素放出ノズルは１８の中に混入されている、空気の気泡を小さな粒子で放出し、半球面形状により１０の水槽内の１８に拡散放出する。【００１５】拡散放出された粒子の小さな気泡６０は１２の観賞植物等の葉に６０の気泡が付着し、より多くの酸素の取り込みを促進させる。【００１６】１５の砂と３５の濾過材は好気性バクテリアの付着育成と繁殖を増進し１８の水の劣化を防ぎ１０内の１８の汚れを防ぐ。
【発明の効果】
【００１７】以上説明したように本発明に係る観賞用水槽循環濾過装置は水の劣化を防ぎ、水中酸素の溶解の増大、緩やかな水流による生物の生長促進、水流の負圧による空気吸引システム、好気性バクテリアの付着育成等の優れた観賞用水槽循環濾過装置で有る。
【図面の簡単な説明】
【図１】本発明に係る観賞用水槽循環濾過装置の一例を示す斜視図である。
【図２】本発明に係る観賞用水槽循環濾過装置の一例を示す断面透視図である。
【符号の説明】
１０  水槽
１１  ポンプ電気線
１２  水中植物
１５  濾過砂
１８  水
２０  空気吸引フイルター
２５  空気吸引パイプ
２８  空気排出口パイプ
３０  濾過材収納ケース
３１  濾過材収納ケース蓋
３５〜３７  濾過材
４０  水吸引パイプ
４３  気泡排出パイプ
４８  気泡排出半球面体ノズル
５０  ポンプ
６０  気泡
2005143483.tif 000003
2005143483.tif 000004
【手続補正書】
【提出日】平成16年2月6日(2004.2.6)
【手続補正３】
【補正対象書類名】図面
【補正対象項目名】全図
【補正方法】変更
【補正の内容】
【図１】
2005143483.tif 000005
【図２】
2005143483.tif 000006
(57)【要約】【課題】従来の植物用の支柱では、単一で、さまざまな種類の植物、特に重い実のなる植物に使えるものがなかった。加えて、使っているうちに変形したり、さびついたりするものもあり、使用時、使用後共に扱いに手間がかかった。【解決手段】  地中にさし込む部分を一本の真直な棒状で先を尖らせ、地上で植物を支える部分を螺旋形にした支柱は、例えば鉄等を使って、全体をパイプ状にし、表面を合成樹脂材でコーティングする。また、螺旋形にした部分の口径を上に行く程広くし、最上部を水平にカットする。即ち、平面状の渦巻形にする。【選択図】図１
2005143485.tif 000002
【特許請求の範囲】
【請求項１】
地中にさし込む部分を一本の真直な棒状に、地上で植物を支える部分を螺旋形にしたことを特徴とする植物用支柱。
【請求項２】
螺旋形にした部分において、上部に行く程、その口径を広げ、最上部を水平に、即ち平面状の渦巻形にすることを特徴とする請求項１記載の植物用支柱。
【発明の詳細な説明】
【発明の詳細な説明】
【技術分野】
【０００１】  この発明は、植物を育てる時に用いる支柱の形状に関する。
【背景技術】
【０００２】  従来の植物用の支柱は、図２に示すように、一本の真直な棒状の支柱４と、あと、あんどん型の支柱５で、植物の三方に等間隔に支柱を立て、それぞれの支柱を針金の輪で連結したものが主であった。
【発明が解決しようとする課題】
【０００３】  しかしながら、以上の従来技術によれば、一本の真直な棒状の支柱においては、一本仕立ての植物には適しているが、分枝性の植物で、特に各枝に重い実がなる野菜、例えばなす等においては、実が地面に着かないように、また、実の重みで茎が裂けないように、幾本もの支柱を使って、各枝の傾きに合わせて一本一本土にさし込むという作業が必要であった。その上紐等を使って、植物を支柱に固定するという作業も加わって煩わしいものであった。一方あんどん型の支柱においては、朝顔などのつる性の鉢物には利用されているが、なすのように分枝性で重い実のなる野菜やぶどうのようにつる性でも、やはり重い実のなる物を支えるには、針金の輪の部分が細く弱いため適さない。というように、用途が少なかった。それに加え、使用する際、三本の支柱をひろげて、植物の三方に等間隔に、しかも針金の輪が水平になるように土にさし込み、使用後は、三本の支柱を土から抜いて揃え、針金の輪を下に倒して、平坦な状態にする。という具合に扱いが面倒であった。その上続けて使用していると、針金の輪が変形したり、針金の輪を支柱の穴に通し連結した形の物では、風雨にさらされることでその穴がさびて、上記の作業が更に手間取った。
そこで、この発明は、使用時、使用後共に扱いが簡単で、一本仕立ての植物、分枝性の植物、つる性の植物、加えて実のなる植物に関係なく、単一で使用可能な支柱を提供することを課題とする。
【課題を解決するための手段】
【０００４】  以上の課題を解決するために、請求項１の発明は、地中にさし込む部分を一本の真直な棒状に、地上で植物を支える部分を螺旋形にしたことを特徴とする植物用支柱である。
また、請求項２の発明は、螺旋形にした部分において、上部に行く程、その口径を広げ、最上部を水平に、即ち平面状の渦巻形にすることを特徴とする植物用支柱である。
【発明を実施するための最良の形態】
【０００５】  この発明の一実施形態を、図１に示す。
図１において、本螺旋形植物用支柱は、直線部１と螺旋形部２と同じく螺旋形の最上部を水平にしカットした、平面状渦巻形部３から構成される。本支柱は、鉄等の金属で、一体成形したものであるが、すべてパイプ状になっており、金属を錆から守るため、表面は合成樹脂材等でコーティングされる。直線部１は、地中にさし込む部分で、支柱を真上から見て、螺旋形の口径の中心に植物が来るように、螺旋形の口径の中心よりやや外側に設けられ、先端はやや尖っている。螺旋形部２は、数巻き設けられ、上に行く程その口径は大きく、更に、最上部の平面状渦巻形部３の口径が一番大きく、水平になっている。１、２、３は基本的に同じ太さで、その太さとパイプ状になっている金属の厚みは、実のなる物にも耐えられる程度である。【０００６】「実施形態の効果」
この実施形態によれば、直線部１は、先端を尖らせたことにより、容易に土にさし込むことができる。さし込む位置は、真上から見て、植物が支柱の螺旋形部２及び平面状渦巻形部３の中央にくるようにさし込むが、その時、１を本体の中心線よりやや外側に設けたことにより、根を傷める心配がない。また、植物の成長に伴って、幹及び枝葉を伸ばしてゆく時、螺旋形部２及び平面状渦巻形部３のそれぞれの間から枝葉を出すと同時に、２と３の部分が幹及び枝葉を支える形となるので、一本仕立てや分枝性の植物は勿論のこと、実がなる物も地面に着いて汚れることもない。また、紐等で枝を支柱に固定する必要もなく、本支柱だけで間に合う。更にあんどん仕立てにも準ずることができるので、つる性植物も楽しめる。という具合に本支柱はさまざまな種類の植物に適応可能なものである。猶、本支柱は、１、２、３の部分は、基本的に同じ太さで、なすやぶどう等の実の重みにも耐えられる程度の太さ及びパイプ状の金属の厚みになっているので、支柱自体変形しにくい。加えて、数巻きある螺旋形部２の口径を上部に行く程大きく、更に最上部である平面状渦巻形部３の口径を一番大きく、水平にしたことにより、使用後、保管する際、支柱の１の部分を土より抜き、逆さまにして、安定よく積み重ねることもできる。【０００７】「他の実施形態」
図１の実施形態では、幹及び枝葉を支える部分、即ち螺旋形部２と平面状渦巻形部３は、通常の巻貝の殻のようなループ状の曲線を描いたものであったが、他の実施形態では、これらの部分を四角い螺旋状に変形させたものでも良い。また、図１の実施形態では、鉄等の金属をパイプ状にし、合成樹脂材等で表面をコーティングしたものであったが、他の実施形態では、鉄等の金属をパイプ状ではなく、金属が中まで詰まった状態のもので、錆止めに塗料を塗ったものでも良い。
【発明の効果】
【０００８】  以上説明したように、この発明によれば、使用する時、一本の真直な棒状の部分を地中にさし込む。という作業だけで手間がかからず、また、地上で植物を支える部分を螺旋形にすることにより、本支柱一本だけで、さまざまな種類の植物に使用することができる。更に、螺旋形にした部分を上に行く程、その口径を広げ、最上部を水平に、即ち平面状の渦巻形にしたので、使用後、保管する際、逆さまにして積み重ねることもできる。
【０００９】  また、支柱の地上に出ている部分が螺旋状になっているので、単なる支柱というだけでなく、デザイン的にもモダンで動きがあって楽しい。
【図面の簡単な説明】
【図１】この発明の一実施形態を示す斜視図である。
【図２】従来技術を示す斜視図である。
【符号の説明】
１  直線部                                ２  螺旋形部
３  平面状渦巻形部                        ４  真直な棒状の支柱
５  あんどん型の支柱
【図１】
2005143485.tif 000003
【図２】
2005143485.tif 000004
(57)【要約】〔課題〕日本の海は磯焼けが拡大し、これまで長い間コンクリート人工漁礁を中心とした環境改善方式によって藻場造成が行われてきたが、藻場造成は困難とされている。〔解決手段〕図１は沿岸域における本発明の実施例の透視図であって、人工コンブ１の海藻種苗のついた種糸２またはフイルム３がホチキス留めされ４、この表面を食害防止ネット５で覆い上下それぞれホチキス留めされたものを６下部に沈子としてコンクリートブロック・土のう７を結束し、上部にフロート８を結束したものを海中に投入し、海底９に建て縄状または延縄状に設置する。【選択図】図１
2005143490.tif 000002
【特許請求の範囲】
【請求項１】
図１は沿岸域における本発明の実施例の透視図であって、人工コンブ１の海藻種苗のついた種糸２またはフイルム３がホチキス留めされ４、この表面を食害防止ネット５で覆い上下それぞれホチキス留めされたものを６下部に沈子としてコンクリートブロック・土のう７を結束し、上部にフロート８を結束したものを海中に投入し、海底９に建て縄状または延縄状に設置する。
【請求項２】
図２は沖合域における本発明の実施例の透視図であって、幹綱１０をコンクリートブロックなどに結束し、表面からの水深が３ｍ〜５ｍの位置になるように中間耐水圧フロート１１を固定・延縄状の幹綱に実施例１の食害防止海藻種苗つき人工コンブを設置する。
【発明の詳細な説明】
〔技術分野〕
【０００１】  本発明は、人工コンブに食害防止ネットを添付した海藻類の種苗糸・フイルムなどを付着させた藻場造成に関する技術である。
〔背景技術〕
【０００２】  日本の海は磯焼けが拡大し、これまで長い間コンクリート人工漁礁を中心とした環境改善方式によって藻場造成が行われてきたが、水産基本計画でも１０年後の平成２４年度においても海藻類生産が６７万トンとむしろ減少するなど、藻場造成は困難とされている。しかしながら、持続的水産資源増大からも藻場造成技術は、きわめて重要視されている。
〔非特許文献１〕境一郎著「磯焼けの海を救う」海の医者のエコロジー農文協・人間選書１９９７年
〔非特許文献２〕境一郎著「コンブは地球を救う」水産社  ２００１年
〔非特許文献３〕境一郎著「沿岸漁業への夢を描いて」（コンブの森づくりによる１兆円産業おこし▲１０▼）連載１１８回  月刊「漁村」（社）漁村文化協会
〔発明の開示〕
〔発明が解決しようとする課題〕
【０００３】  磯焼けを解消するには、効果的な藻場・海中林造成を行うことが重要である。人工コンブは磯焼け対策のひとつとして考えられたもので、ゴム・プラスチックなどを素材としてつくられており、海中に物影ができ、陰影効果、過流効果、逃避効果などの集魚構造をもつだけでなく、海藻類の胞子が比較的つきやすく海藻の生育によって一定の藻場・海中林を造成することができた。
【０００４】  しかしながら、海藻の少ない磯焼け漁場では、人工コンブに天然の海藻類の母藻が少ないので、藻場海中林造成が充分とはいえない。
【０００５】  浅海域に人工コンブを海底に設置した場合、台風・暴風などによる被害をうけやすいなどの問題点がある。
【０００６】  海底に直接人工コンブを設置するので、沖合海域では、光合成が充分でなくその効果を充分挙げることが困難である。
【０００７】  人工コンブに付着した海藻の幼芽が藻食性魚介類に食べられる確立が高いなどの問題点がある。
【０００８】  人工コンブに付着した海藻類を収穫するとき、潜水技術が必要とされ採取効率が落ちる。
〔課題を解決しようとする課題〕
【０００９】  本発明は、海藻の種苗の付着した種糸やフイルムを人工コンブに植え付けることによって海藻類の繁殖を確実にするとともに、海藻の幼芽が藻食性魚介類に食べられるのを防止するネットを覆うことにより藻場・海中林造成効果を高めることを主な特徴とする。
〔発明の効果〕
【００１０】  本発明を磯焼け漁場に持ち込み、海藻の繁茂する季節に合わせてコンクリートアンカーまたは土のうなどの沈子および浮き器に連結させ、これを立て縄式にして水深５ｍから１５ｍに多数設置することによって、藻場海中林造成を行うことができる。
【００１１】  本発明は、これまでのコンクリート人工漁礁なとによる環境改善方式と比べコストが安く、藻場海中林造成効果も高い。
【００１２】  本発明は、沿岸域と沖合域にかかわらず藻場・海中林を造成することができる特徴を持っている。
〔発明を実施するための最良の形態〕
【００１３】  本発明を実施するための最良の形態として、沿岸域および沖合域に大別して藻場・海中林の実施例を述べる。
〔実施例１〕
【００１４】図１は沿岸域における本発明の実施例の透視図であって、人工コンブ１の海藻種苗のついた種糸２またはフイルム３がホチキス留めされ４、この表面を食害防止ネット５で覆い上下それぞれホチキス留めされたものを６下部に沈子としてコンクリートブロック・土のう７を結束し、上部にフロート８を結束したものを海中に投入し、海底９に建て縄状に設置する。
〔実施例２〕
【００１５】  図２は沖合域における本発明の実施例の透視図であって、幹綱１０をコンクリートブロックなどに結束し、表面からの水深が３ｍ〜５ｍの位置になるように中間耐水圧フロート１１を固定・延縄状の幹綱に実施例１の食害防止海藻種苗つき人工コンブを設置する。
〔産業上の利用可能性〕
【００１６】  本発明は、磯焼け防止対策のひとつとして考えられたものであって、これまでのコンクリート人工漁礁を中心とした環境改善方式による藻場海中林造成と比べてコストが安く、かつ、藻場・海中林造成効果が高く、磯焼け防止対策として役立つ。
【００１７】  食害防止海藻種苗が人工コンブそのものに固着されているので、海藻がよく成長し、藻場・海中林が確実に育ち、幼稚仔保育場・生育場・産卵場・魚介類漁場としての利用が増大する。
【００１８】  藻場造成は現在公共事業として過去コンクリート人工漁礁が中心的役割を果たしてきたが、あまり効果があがっていないので改善策のひとつとして本発明が利用されるならば水産資源増大に大いに役立つ。
【００１９】  藻場造成については、漁業協同組合法第１１条第６項および第１１条第７項によって、漁民が水産動植物の繁殖保護や漁礁設備を投入して魚の生息場を作ることは漁協が主体的に実施することになっているので、安く、効率のよい本発明による藻場造成は今後積極的に利用される可能性がある。
【００２０】  本発明による藻場・海中林造成は、エコツーリズム・および遊魚（釣り・ダイビングなど）団体に呼びかけ水産資源保護のため、これまでの稚魚放流と並行して実施を呼びかけることによって、漁民以外にも利用される可能性がある。
【図面の簡単な説明】
【００２１】
【図１】沿岸域にける食害防止海藻種苗つき人工コンブ藻場造成透視図（実施例１）
【図２】〔図１〕沖合域にける食害防止海藻種苗つき人工コンブ藻場造成透視図（実施例２）
【符号の説明】
【００２２】  １  人工コンブ
２  海藻種苗のついた種糸
３  海藻種苗のついたフイルム
４  ホチキス留め
５  食害防止ネット
６  食害防止ネットホチキス留め
７  コンクリートブロック・土のう
８  フロート
９  海底
１０  幹綱
１１  中間耐水圧フロート
【図１】
2005143490.tif 000003
【図２】
2005143490.tif 000004